(57)【要約】【課題】周方向溝を有する空気入りタイヤを使用したタイヤ／ホイール組立体において、耐久性を向上することが可能なタイヤ／ホイール組立体を提供する。【解決手段】トレッド面２Ａにタイヤ周方向に延在する周方向溝２Ｂを設けた空気入りタイヤ２をリム１に装着し、空気入りタイヤ２の空洞部２Ｙに、外周側を環状の頂線ｘまたは頂面ｙを有する凸曲面６ａに形成した支持面６にすると共に内周側を二股状に開脚した環状シェル４と、二股状に開脚した脚部７をリム１上に支持する左右の弾性リング５とからなるランフラット用支持体３を配置したタイヤ／ホイール組立体であり、凸曲面６ａの頂線ｘまたは頂面ｙをホイール径方向に見て周方向溝２Ｂと一致しないようにホイール回転中心軸方向にずらしている。【選択図】図１
2004058686.tif 000002
【特許請求の範囲】
【請求項１】
トレッド面にタイヤ周方向に延在する周方向溝を設けた空気入りタイヤをホイールのリムに装着し、該空気入りタイヤの空洞部に、外周側を環状の頂線または頂面を有する凸曲面に形成した支持面にすると共に内周側を二股状に開脚した環状シェルと前記二股状に開脚した脚部をリム上に支持する左右の弾性リングとからなるランフラット用支持体を配置したタイヤ／ホイール組立体において、前記凸曲面の頂線または頂面をホイール径方向に見て前記周方向溝と一致しないようにホイール回転中心軸方向にずらしたタイヤ／ホイール組立体。
【請求項２】
前記空気入りタイヤはトレッド面に複数の周方向溝を有し、前記凸曲面の頂線または頂面を前記周方向溝間に位置させ、該頂線または頂面を前記周方向溝の開口端間のホイール回転軸方向長さＬの１／４以上前記開口端からホイール回転中心軸方向において離間させた請求項１に記載のタイヤ／ホイール組立体。
【発明の詳細な説明】
【０００１】
【発明の属する技術分野】
本発明は、ランフラット用支持体を装着したタイヤ／ホイール組立体に関し、さらに詳しくは、耐久性を改善するようにしたタイヤ／ホイール組立体に関する。
【０００２】
【従来の技術】
車両の走行中に空気入りタイヤがパンクした場合でも、数百ｋｍ程度の緊急走行を可能にするようにする技術が市場の要請から多数提案されている。これら多数の提案のうち、特開平１０−２９７２２６号公報や特表２００１−５１９２７９号公報で提案された技術は、リム組みされた空気入りタイヤの空洞部内側のリム上に支持体を装着し、その支持体によってパンクしたタイヤを支持することによりランフラット走行を可能にしたものである。
【０００３】
上記ランフラット用支持体は、外周側を凸曲面に形成した支持面にすると共に内周側を開脚した開脚構造の環状シェルを有し、その両脚部に弾性リングを取り付けた構成からなり、その弾性リングを介してリム上に支持されるようになっている。このランフラット用支持体によれば、既存のホイール／リムに何ら特別の改造を加えることなく、そのまま使用できるため、市場に混乱をもたらすことなく受入れ可能にできる利点を有している。
【０００４】
しかしながら、このようなランフラット用支持体を装着したタイヤ／ホイール組立体において、トレッドパターンの異なる空気入りタイヤを用いてタイヤが破壊するまでのランフラット走行距離をそれぞれ調べてみると、トレッドパターンによってその走行距離が大きく相違し、特にトレッド面にタイヤ周方向に延在する周方向溝を設けた空気入りタイヤを用いたタイヤ／ホイール組立体におけるランフラット走行時の距離が短く、耐久性が低いという問題があった。
【０００５】
【発明が解決しようとする課題】
本発明の目的は、トレッド面にタイヤ周方向に延在する周方向溝を設けた空気入りタイヤを使用したタイヤ／ホイール組立体において、耐久性を向上することが可能なタイヤ／ホイール組立体を提供することにある。
【０００６】
【課題を解決するための手段】
上記目的を達成する本発明のタイヤ／ホイール組立体は、トレッド面にタイヤ周方向に延在する周方向溝を設けた空気入りタイヤをホイールのリムに装着し、該空気入りタイヤの空洞部に、外周側を環状の頂線または頂面を有する凸曲面に形成した支持面にすると共に内周側を二股状に開脚した環状シェルと前記二股状に開脚した脚部をリム上に支持する左右の弾性リングとからなるランフラット用支持体を配置したタイヤ／ホイール組立体において、前記凸曲面の頂線または頂面をホイール径方向に見て前記周方向溝と一致しないようにホイール回転中心軸方向にずらしたことを特徴とする。
【０００７】
上述した本発明によれば、ランフラット走行時に凸曲面の頂線または頂面がトレッド部の厚肉部分に当接し、ランフラット用支持体がその厚肉部分を中心にして空気入りタイヤの内面を支持するので、周方向溝における破壊の発生を抑制して耐久性を向上することが可能になる。
【０００８】
【発明の実施の形態】
本発明において、ランフラット用支持体は空気入りタイヤの空洞部に挿入される環状体として形成される。このランフラット用支持体は、外径が空気入りタイヤの空洞部内面との間に一定距離を保つように空洞部内径よりも小さく形成され、かつ内径は空気入りタイヤのビード部内径と略同一寸法に形成されている。そして、このランフラット用支持体は、空気入りタイヤの内側に挿入された状態で空気入りタイヤと共にホイールにリム組みされ、タイヤ／ホイール組立体に構成される。このタイヤ／ホイール組立体が車両に装着されて走行中に空気入りタイヤがパンクすると、そのパンクして潰れたタイヤがランフラット用支持体の外周面に支持された状態になるので、ランフラット走行を可能にする。
【０００９】
上記ランフラット用支持体は、環状シェルと弾性リングとを主要部として構成されている。
【００１０】
環状シェルは、外周側（外径側）にパンクしたタイヤを支えるため連続した支持面を形成し、内周側（内径側）は左右の側壁を脚部として二股状に開脚した形状にしている。外周側の支持面は、その周方向に直交する横断面での形状が外径側に凸となる凸曲面に形成される。その凸曲面のタイヤ軸方向に並ぶ数は単一だけでもよいが、好ましくは２以上が並ぶようにするのがよい。このように支持面を２以上の凸曲面が並ぶように形成することにより、支持面のタイヤ内面（空洞部内面）に対する接触箇所を２以上に分散させ、タイヤ内面に与える局部摩耗を低減するため、ランフラット走行を可能にする持続距離を延長することができる。
【００１１】
弾性リングは、環状シェルの内径側に二股状になった両脚部の端部にそれぞれ取り付けられ、左右のリムシート上に当接することにより環状シェルを支持している。この弾性リングはゴム又は弾性樹脂から構成され、パンクしたタイヤから環状シェルが受ける衝撃や振動を緩和するほか、リムシートに対する滑り止めを行って環状シェルを安定支持するようにしている。
【００１２】
ランフラット用支持体は、パンクしたタイヤを介して車両重量を支えるようにしなければならないため、環状シェルは剛体材料から構成されている。その構成材料には、金属、樹脂などが使用される。このうち金属としては、スチール、アルミニウムなどを例示することができる。また、樹脂としては、熱可塑性樹脂および熱硬化性樹脂のいずれでもよい。熱可塑性樹脂としては、ナイロン、ポリエステルなどを挙げることができ、また熱硬化性樹脂としては、エポキシ樹脂、不飽和ポリエステル樹脂などを挙げることができる。樹脂は単独で使用してもよいが、補強繊維を配合して繊維強化樹脂として使用してもよい。
【００１３】
弾性リングは、環状シェルを安定支持できればいずれのゴムや弾性樹脂から構成してもよく、例えば、ゴムとしては、天然ゴム、イソプレンゴム、スチレン−ブタジエンゴム、ブタジエンゴム、ブチルゴムなど、弾性樹脂としては、発泡ポリウレタンなどの発泡樹脂を挙げることができる。
【００１４】
本発明のタイヤ／ホイール組立体に使用されるランフラット用支持体は、上述した構成を前提とする。
【００１５】
以下、本発明を図に示す実施形態により具体的に説明する。
【００１６】
図１は本発明の一実施形態からなるタイヤ／ホイール組立体（車輪）の要部を示す子午線断面図であり、１はホイール外周のリム、２は空気入りタイヤ、３はランフラット用支持体である。
【００１７】
空気入りタイヤ２は、トレッド面２Ａにタイヤ周方向に沿ってストレート状に延在する複数の周方向溝２Ｂが設けられ、これら周方向溝２Ｂ間にリブ２Ｒが区分形成されている。リム１、空気入りタイヤ２、ランフラット用支持体３は、図示しないホイール回転中心軸を中心として共軸に環状に形成され、リム１に装着した空気入りタイヤ２の空洞部２Ｙにランフラット用支持体３を配置した構成になっている。
【００１８】
ランフラット用支持体３は、金属、樹脂などの剛性材から形成された環状シェル４と、ゴム、弾性樹脂などの弾性材から形成された左右の弾性リング５，５とから構成されている。
【００１９】
環状シェル４は外周側に曲率半径を有する２個の凸曲面６ａ，６ａをシェル幅方向においてもつ支持面６を形成し、その支持面６は空気入りタイヤ２が正常なときは空気入りタイヤ２の内面２ａから離間しているが、パンクしたとき潰れたタイヤを支持するようになっている。また、環状シェル４の内周側は両側壁がそれぞれ脚部７，７として二股状に開脚し、その内周側に弾性リング５，５を取り付けている。
【００２０】
上記凸曲面６ａ，６ａの環状の頂線ｘ，ｘは周方向溝２Ｂ間に位置し、ホイール径方向に見て周方向溝２Ｂと一致しないようにホイール回転中心軸方向（図の左右方向）にずらした構成になっている。
【００２１】
上記ランフラット用支持体３は、リム組み時に、空気入りタイヤ２の内側に挿入され、弾性リング５，５を空気入りタイヤ２のビード部２Ｃ，２Ｃと共にリム１のリムシート１ｓ，１ｓに同時に装着するようになっている
本発明者らは、トレッド面にタイヤ周方向に延在する周方向溝を設けた空気入りタイヤを用いたタイヤ／ホイール組立体において、ランフラット走行時の空気入りタイヤの破壊状態を観察すると、いずれも周方向溝に沿って破壊が発生し、ランフラット走行を不能にしていた。
【００２２】
そこで、周方向溝とランフラット用支持体の関係を調べてみると、タイヤを支持する凸曲面の頂線がホイール径方向に見た際にトレッド部で最も厚さが薄くなる周方向溝と重なり、そのトレッド部の薄肉部分を中心にしてランフラット用支持体がタイヤを支持するためにタイヤ破壊が早まり、ランフラット走行距離を短くする原因になっていることがわかった。
【００２３】
このような知見に基づき、本発明では、上述したように凸曲面６ａ，６ａの頂線ｘ，ｘをホイール径方向に見て周方向溝２Ｂと一致しないようにホイール回転中心軸方向においてずらしたのである。これにより、ランフラット走行時に凸曲面６ａ，６ａの頂線ｘ，ｘがトレッド部２Ｄのリブ２Ｒの部分（厚肉部分）に当接し、ランフラット用支持体３がトレッド部２Ｄの厚肉部分を中心にして空気入りタイヤ２の内面２ａを支持することができるので、周方向溝２Ｂでの破壊を抑制し、耐久性を向上することができる。
【００２４】
本発明において、凸曲面６ａ，６ａの頂線ｘ，ｘの位置としては、周方向溝２Ｂの開口端２Ｂ１間のホイール回転軸方向長さ（タイヤ幅方向におけるリブ幅）Ｌの１／４以上開口端２Ｂ１からホイール回転中心軸方向において離間させるようにするのが、耐久性をより効果的に改善する上で好ましい。望ましくは、開口端２Ｂ１間の中央部（リブ２Ｒの中央部）に位置させるのがよい。
【００２５】
上記エッジｅの位置は、パンクしてエアが抜けたランフラット走行状態になった際に、周方向溝２Ｂがホイール回転中心軸方向における位置変化をほとんど起こさずにタイヤが縮径した状態になるため、パンク前のエア充填状態にあるタイヤの状態で決められるが、ランフラット走行状態になったタイヤを基準にしてもよい。
【００２６】
上記実施形態では、周方向溝２Ｂがストレート状の例を示したが、図２に示すように、ジグザグ状の溝であってもよい。その場合も、凸曲面６ａ，６ａの頂線ｘ，ｘの位置を上記のようにホイール回転軸方向長さＬの１／４以上開口端２Ｂ１から離間させるのがよい。なお、このように周方向２Ｂがジグザグ状の場合には、ジグザグ状に延在する左右の開口端２Ｂ１のジグザグ幅中心位置Ａを、頂線ｘ，ｘの位置を決めるための開口端位置とする。
【００２７】
また、上記実施形態では、トレッド面２Ａに周方向溝２Ｂにより区分されたリブ２Ｒを設けた空気入りタイヤ２を例示したが、周方向溝と横溝によりブロックを区画形成したブロックパターンを有する空気入りタイヤであっても、上述したランフラット用支持体３を用いることにより同様の効果を得ることができる。
【００２８】
ランフラット用支持体３の支持面６は、上記のように頂線ｘを有する凸曲面６ａに代えて、図３に示すように、ホイール回転中心軸に沿った断面フラットな環状の頂面ｙを有する凸曲面６ａを備えたものであってもよい。その場合、頂面ｙを上記と同様に周方向溝２Ｂと重ならないようにする。好ましくは、頂面ｙを上記のように周方向溝２Ｂから離間させるのがよい。
【００２９】
上記ランフラット用支持体３は、環状シェル４の支持面６が２個の凸曲面６ａ，６ａを有するものを例示したが、この凸曲面の数は２個に限定されるものでなく、１個あるいは３個以上であってもよい。その場合にも、各凸曲面６の頂線ｘまたは頂部ｙを周方向溝２Ｂと重ならないようにすることで耐久性を向上することができる。
【００３０】
【実施例】
タイヤサイズを２０５／５５Ｒ１６、リムサイズを１６×６　１／２ＪＪで共通にし、ランフラット用支持体の凸曲面の頂線を周方向溝間の略中央に位置させた図１に示す構成の本発明のタイヤ／ホイール組立体（実施例）と、本発明のタイヤ／ホイール組立体において、凸曲面の頂線を周方向溝に一致させた従来のタイヤ／ホイール組立体（従来例）をそれぞれ作製した。
【００３１】
両試験タイヤ／ホイール組立体を以下に示す測定方法により、耐久性の評価試験を行ったところ、表１に示す結果を得た。
耐久性
各試験タイヤ／ホイール組立体を空気圧０ｋＰａ　の状態で排気量２．５リットルの乗用車の前右輪に装着し、時速９０ｋｍでテストコースを走行した際に、走行不能になった距離を測定し、その結果を従来のタイヤ／ホイール組立体を１００とする指数値で評価した。この値が大きい程、耐久性が優れている。
【００３２】
なお、後右輪以外は、上記と同じサイズのタイヤとリムを使用し、その空気圧は２００ｋＰａ　にした。
【００３３】
【表１】
2004058686.tif 000003
表１から、本発明のタイヤ／ホイール組立体は、耐久性を改善できることがわかる。
【００３４】
【発明の効果】
上述したように本発明は、凸曲面の頂線または頂面をホイール径方向に見て周方向溝と一致しないようにホイール回転中心軸方向にずらしたので、トレッド面にタイヤ周方向に延在する周方向溝を設けた空気入りタイヤを使用したタイヤ／ホイール組立体の耐久性を向上することができる。
【図面の簡単な説明】
【図１】本発明の実施形態からなるタイヤ／ホイール組立体の要部を示す子午線断面図である。
【図２】本発明のタイヤ／ホイール組立体に使用される空気入りタイヤの周方向溝の他の例を示す要部説明図である。
【図３】本発明のタイヤ／ホイール組立体に使用されるランフラット用支持体の他の例を示す要部断面図である。
【符号の説明】
１（ホイールの）リム　　　　　　２　空気入りタイヤ
２Ａ　トレッド面　　　　　　　　２Ｂ　周方向溝
２Ｂ１　開口端　　　　　　　　　２Ｙ　空洞部
３　ランフラット用支持体　　　　４　環状シェル
５　弾性リング　　　　　　　　　６　支持面
６ａ　凸曲面　　　　　　　　　　７　脚部
Ｌ　ホイール回転中心軸方向長さ　ｘ　頂線
ｙ　頂面
【図１】
2004058686.tif 000004
【図２】
2004058686.tif 000005
【図３】
2004058686.tif 000006